(57)【要約】高速ダウンリンク共用チャネル（ＨＳ−ＤＳＣＨ）データフレーム（１１０）が無線ネットワーク制御装置（ＲＮＣ）によってトランスポートリンク（Ｉｕｂ）を介して自らに送信にされた後に、該データフレームが消失されたときを検出できる無線基地局（ＲＢＳ）（１０４）が開示される。この検出を行うために、ＲＢＳ（１０４）は、ＨＳ−ＤＳＣＨデータフレーム（１１０）を受信すると、この受信したＨＳ−ＤＳＣＨデータフレーム（１１０）中に配置されたフレームシーケンス番号（３０２）を検査して、そのフレームシーケンス番号（３０２）が以前に受信したＨＳ−ＤＳＣＨデータフレーム中に配置されていたフレームシーケンス番号（３０２）と連続しているかを判断する。これら二つのフレームシーケンス番号（３０２）が連続していなければ、前にＲＢＳ（１０４）に向けて送信された一つまたはそれ以上のＨＳ−ＤＳＣＨデータフレーム（１１０）が消失したことになる。ＲＢＳ（１０４）が多くの消失ＨＳ−ＤＳＣＨデータフレーム（１１０ａ）を検出すると、ＲＮＣ（１０２）によってトランスポートリンク（１０６）を介してＲＢＳ（１０４）に送信されようとしている全てのＨＳトラフィックの最大ビットレートを低減するか、特定ＨＳユーザフローのビットレートを低減することによって、この問題を解決する。
2007536792.tif 000002
【特許請求の範囲】
【請求項１】
トランスポートネットワーク中で少なくとも一つの他のデータフレーム（１１０ａ）が消失したときの検出に使用されるフレームシーケンス番号（３０２）を有することを特徴とするデータフレーム（１１０）。
【請求項２】
前記フレームシーケンス番号が、４ビットフレームシーケンス番号であることを特徴とする請求項１記載のデータフレーム。
【請求項３】
前記データフレームおよび前記少なくとも一つの他のデータフレームは、高速ダウンリンク共用チャネル（ＨＳ−ＤＳＣＨ）データフレームであることを請求項１記載のデータフレーム。
【請求項４】
前記ＨＳ−ＤＳＣＨデータフレームが、一つのＭＡＣ−ｄ  ＣｍＣＨ−ＰＩ フローに属することを特徴とする請求項３記載のデータフレーム。
【請求項５】
高速ダウンリンク共用チャネル（ＨＳ−ＤＳＣＨ）データフレーム（１１０）を受信し、受信したＨＳ−ＤＳＣＨデータフレーム（１１０）内のフレームシーケンス番号（３０２）を検査して、以前に送信された一つまたはそれ以上のＨＳ−ＤＳＣＨデータフレーム（１１０ａ）が消失したか否かを判断するフロー制御メカニズム（１０８）を備えることを特徴とする無線基地局（１０４）。
【請求項６】
前記フレームシーケンス番号が、４ビットフレームシーケンス番号であることを特徴とする請求項５記載の無線基地局。
【請求項７】
前記フロー制御メカニズムは、前記ＨＳ−ＤＳＣＨデータフレームが所定数消失したことが検出された後、前記一つまたはそれ以上の消失ＨＳ−ＤＳＣＨデータフレームおよび前記ＨＳ−ＤＳＣＨデータフレームに関連した優先キューフローのビットレートを低減することを特徴とする請求項５記載の無線基地局。
【請求項８】
前記フロー制御メカニズムは、所定時間間隔の間にＨＳ−ＤＳＣＨデータフレームが所定数消失したことが検出された後、全てのＨＳトラフィックの最大ビットレートを低減することを特徴とする請求項５記載の無線基地局。
【請求項９】
前記フロー制御メカニズムは、その間に消失が検出されたＨＳ−ＤＳＣＨデータフレームの数が所定の閾値を超えなかった所定時間間隔経過後、全てのＨＳトラフィックの最大ビットレートを増加させることを特徴とする請求項８記載の無線基地局。
【請求項１０】
前記フロー制御メカニズムは、該メカニズムに向けて以前に送信された一つまたはそれ以上のＨＳＤＰＡ  ＨＳ−ＤＳＣＨデータフレームがダメージを受けたか否かを判断するために、受信したＨＳＤＰＡ  ＨＳ−ＤＳＣＨデータフレーム中のサイクリック・リダンダンシー・チェック（Ｃｙｃｌｉｃ  Ｒｅｄｕｎｄａｎｃｙ   Ｃｈｅｃｋ）（ＣＲＣ）およびレングス・インディケータ（Ｌｅｎｇｔｈ   Ｉｎｄｉｃａｔｏｒ）（ＬＩ）もまた検査することを特徴とする請求項５記載の無線基地局。
【請求項１１】
無線ネットワーク制御装置（１０２）であって、
フレームシーケンス番号（３０２）が配置された高速ダウンリンク共用チャネル（ＨＳ−ＤＳＣＨ）データフレーム（１１０）を発生し送信するフロー制御メカニズム（１１８）を備えることを特徴とする無線ネットワーク制御装置（１０２）。
【請求項１２】
前記フレームシーケンス番号が、４ビットフレームシーケンス番号であることを特徴とする請求項１１記載の無線ネットワーク制御装置。
【請求項１３】
前記ＨＳ−ＤＳＣＨデータフレームが、一つのＭＡＣ−ｄ  ＣｍＣＨ−ＰＩフローに属することを特徴とする請求項１１記載の無線ネットワーク制御装置。
【請求項１４】
セルラシステム（１００）であって、
無線ネットワーク制御装置（１０２）と、
トランスポートリンク（１０６）と、
無線基地局（１０４）とを備え、
前記無線ネットワーク制御装置（１０２）は、フレームシーケンス番号（（３０２）が配置された高速ダウンリンク共用チャネル（ＨＳ−ＤＳＣＨ）データフレーム（１１０）を発生し、該ＨＳ−ＤＳＣＨデータフレーム（１１０）を、前記トランスポートリンク（１０６）を介して、無線基地局（１０４）に送信し、
前記無線基地局（１０４）は、前記ＨＳ−ＤＳＣＨデータフレーム（１１０）を受信し、受信したＨＳ−ＤＳＣＨデータフレーム（１１０）内のフレームシーケンス番号（３０２）を検査して、前記無線ネットワーク制御装置（１０２）によって前記無線基地局（１０４）に向けて前に送信された一つまたはそれ以上のＨＳ−ＤＳＣＨデータフレーム（１１０ａ）が消失したか否かを判断することを特徴とするセルラシステム（１００）。
【請求項１５】
前記フレームシーケンス番号が、４ビットフレームシーケンス番号であることを特徴とする請求項１４記載のセルラシステム。
【請求項１６】
前記ＨＳ−ＤＳＣＨデータフレームが、一つのＭＡＣ−ｄ  ＣｍＣＨ−Ｉフローに属することを特徴とする請求項１４記載のセルラシステム。
【請求項１７】
前記無線基地局は、前記ＨＳ−ＤＳＣＨデータフレームが所定数消失したことが検出されたとき、前記一つまたはそれ以上の消失ＨＳ−ＤＳＣＨデータフレームおよび前記ＨＳ−ＤＳＣＨデータフレームに関連した優先キューフロー（ＰＱＦ）のビットレートを低減するように前記無線ネットワーク制御装置に指示するメッセージを前記無線ネットワーク制御装置に送ることを特徴とする請求項１４記載のセルラシステム。
【請求項１８】
前記無線基地局は、所定時間間隔の間にＨＳ−ＤＳＣＨデータフレームが所定数消失したことが検出されたときに、前記トランスポートリンクを介して、前記無線基地局に送信される全てのＨＳトラフィックの最大ビットレートを低減するように前記無線ネットワーク制御装置に指示するメッセージを前記無線ネットワーク制御装置に送ることを特徴とする請求項１４記載のセルラシステム。
【請求項１９】
前記無線基地局は、その間に消失が検出されたＨＳ−ＤＳＣＨデータフレームの数が所定の閾値を超えなかった所定時間間隔経過後、全てのＨＳトラフィックの最大ビットレートを増加させることを特徴とする請求項１８記載のセルラシステム。
【請求項２０】
前記無線基地局は、該無線基地局に向けて前記無線ネットワーク制御装置から以前送信された一つまたはそれ以上のＨＳＤＰＡ  ＨＳ−ＤＳＣＨデータフレームがダメージを受けたか否かを判断するために、受信したＨＳＤＰＡ  ＨＳ−ＤＳＣＨデータフレーム中のサイクリック・リダンダンシー・チェック（Ｃｙｃｌｉｃ  Ｒｅｄｕｎｄａｎｃｙ  Ｃｈｅｃｋ）（ＣＲＣ）およびレングス・インディケータ（Ｌｅｎｇｔｈ  Ｉｎｄｉｃａｔｏｒ）（ＬＩ）もまた検査することを特徴とする請求項１４記載のセルラシステム。
【請求項２１】
無線ネットワーク制御装置と無線基地局との間のトランスポートリンクの問題を検出する方法であって、
前記無線基地局において、高速ダウンリンク共用チャネル（ＨＳ−ＤＳＣＨ）データフレーム（１１０）を受信するステップと、
前記無線基地局において、受信したＨＳ−ＤＳＣＨデータフレーム（１１０）内のフレームシーケンス番号（３０２）を検査して、以前に前記無線ネットワーク制御装置から送信された一つまたはそれ以上のＨＳ−ＤＳＣＨデータフレーム（１１０ａ）が消失したか否かを検査するステップと
を含むことを特徴とする方法。
【請求項２２】
前記フレームシーケンス番号が、４ビットフレームシーケンス番号であることを特徴とする請求項２１記載の方法。
【請求項２３】
前記無線基地局は、前記ＨＳ−ＤＳＣＨデータフレームが所定数消失したことが検出された後、前記一つまたはそれ以上の消失ＨＳ−ＤＳＣＨデータフレームおよび前記ＨＳ−ＤＳＣＨデータフレームに関連した優先キューフロー（ＰＤＦ）のビットレートを低減するように前記無線ネットワーク制御装置に指示することを特徴とする請求項２１記載の方法。
【請求項２４】
前記無線基地局は、所定時間間隔の間にＨＳ−ＤＳＣＨデータフレームが所定数消失したことが検出された後、全てのＨＳトラフィックの最大ビットレートを低減するように前記無線ネットワーク制御装置に指示することを特徴とする請求項２１記載の方法。
【請求項２５】
前記無線基地局は、その間に消失が検出されたＨＳ−ＤＳＣＨデータフレームの数が所定の閾値を超えなかった所定時間間隔経過後、全てのＨＳトラフィックの最大ビットレートを増加させるように無線ネットワーク制御装置に指示することを特徴とする請求項２４記載の方法。
【請求項２６】
前記無線基地局は、前記無線ネットワーク制御装置によって以前送信された一つまたはそれ以上のＨＳＤＰＡ  ＨＳ−ＤＳＣＨデータフレームがダメージを受けたか否かを判断するために、受信したＨＳＤＰＡ  ＨＳ−ＤＳＣＨデータフレーム中のサイクリック・リダンダンシー・チェック（Ｃｙｃｌｉｃ  Ｒｅｄｕｎｄａｎｃｙ  Ｃｈｅｃｋ）（ＣＲＣ）およびレングス・インディケータ（Ｌｅｎｇｔｈ  Ｉｎｄｉｃａｔｏｒ）（ＬＩ）もまた検査することを特徴とする請求項２１記載の方法。
【発明の詳細な説明】
【技術分野】
【０００１】
本発明は、概して、第三世代セルラシステムに係わり、具体的には、高速ダウンリンク共用チャネル（ＨＳ−ＤＳＣＨ）データフレームが無線ネットワーク制御装置（ＲＮＣ）からトランスポートリンク（Ｉｕｂ）を介して無線基地局（ＲＢＳ）に送信にされた後に、該データフレームが消失されたときを検出できる前記無線基地局（ＲＢＳ）に関する。
【背景技術】
【０００２】
今日、広帯域符号分割多元接続（ＷＣＤＭＡ）規格の高速ダウンリンクパケットアクセス（ＨＳＤＰＡ）の規定を実現する第三世代セルラシステムの性能を高めることの関心が高まっている。
【発明の開示】
【発明が解決しようとする課題】
【０００３】
データフレーム（ＨＳ−ＤＳＣＨデータフレーム）が無線ネットワーク制御装置（ＲＮＣ）からトランスポートリンク（Ｉｕｂ）を介して無線基地局（ＲＢＳ）に送信にされた後に、該データフレームが消失されたときを検出できる方法があれば、第三世代セルラシステムの性能が高められる。
【０００４】
非常に多くのＨＳ−ＤＳＣＨデータフレームが消失してこれらがＲＢＳによって受信されなければ、ＲＮＣとＵＥ（移動ハンドセットまたは移動端末のようなユーザ装置）との間で再送信を行う結果となるので、ＨＳ−ＤＳＣＨデータフレームの消失を検出できることが望ましい。しかし、ＲＮＣとＵＥとの間で再送信は好ましいことではない。何故なら、これによりＨＳＤＰＡスループットが低下するからである。不幸にして、従来のＲＢＳは、ＨＳ−ＤＳＣＨデータフレームの消失したときを検出する手段を有していないので、ＲＮＣとＵＥとの間で問題の再送信を防ぐことができない。本発明は、この問題に対処するものである。
【課題を解決するための手段】
【０００５】
本発明は、ＨＳ−ＤＳＣＨデータフレームがＲＮＣによってトランスポートリンク（Ｉｕｂ）を介してＲＢＳに送信にされた後に、該データフレームが消失されたときを検出できるＲＢＳを含む。この検出を行うために、ＲＢＳは、ＨＳ−ＤＳＣＨデータフレームを受信すると、この受信したＨＳ−ＤＳＣＨデータフレーム中に配置されたフレームシーケンス番号を検査して、そのフレームシーケンス番号が以前に受信したＨＳ−ＤＳＣＨデータフレーム中に配置されていたフレームシーケンス番号と連続しているかを判断する。これら二つのフレームシーケンス番号が連続していなければ、前にＲＢＳに向けて送信された一つまたはそれ以上のＨＳ−ＤＳＣＨデータフレームが消失したことになる。ＲＢＳが多くのＨＳ−ＤＳＣＨデータフレームが消失したことを検出すると、ＲＮＣによってトランスポートリンクを介してＲＢＳに送信されようとしている全てのＨＳトラフィックの最大ビットレートを低減するか、特定ＨＳユーザフローのビットレートを低減することによって、この問題を解決する。
【発明を実施するための最良の形態】
【０００６】
図１には、第三世代セルラネットワーク１００（具体的には、ＵＴＲＡＮ１００（ＵＭＴＳ地上（Ｔｅｒｒｅｓｔｒｉａｌ）無線アクセスネットワーク１００）のみ）のブロック図が示されている。ＵＴＲＡＮ１００は、トランスポートリンク１０６（Ｉｕｂ１０６）を介して互いに接続されたＲＮＣ１０２およびＲＢＳ１０４を有する。ＲＢＳ１０４は、データフレーム１１０（ＨＳ−ＤＳＣＨデータフレーム１１０）がＲＮＣ１０２から送信されてＩｕｂ１０６を介してＲＢＳ１０４に向かった後、ＲＢＳ１０４で受信されるはずであったのに、消失したときにそのことを検出できるフロー制御メカニズム１０８を含む。ＨＳ−ＤＳＣＨデータフレーム１１０は、ＲＮＣ１０２とＲＢＳ１０４との間にあるトランスポートノード１１２および１１４（２個のみ図示）中のバッファオーバーロードによって消失する可能性がある。ＲＮＣ１０２とＵＥ１１６（一つのみ図示）との間の再送信を防止するために、多くの消失ＨＳ−ＤＳＣＨデータフレーム１１０ａがあるときにＲＢＳ１０４が訂正アクションをとれるように、ＲＢＳ１０４が消失ＨＳ−ＤＳＣＨデータフレーム１１０ａを検出できることが重要である。ＲＢＳ１０４がどのようにして消失ＨＳ−ＤＳＣＨデータフレーム１１０ａを検出できるのかということと、多くの消失ＨＳ−ＤＳＣＨデータフレーム１１０ａがあるときにＲＢＳ１０４がとり得る訂正アクションについて、図２および図３を参照して説明する。
【０００７】
ＲＢＳ１０４は、消失ＨＳ−ＤＳＣＨデータフレーム１１０ａを検出できることによって、ＨＳＤＰＡ領域のＩｕｂ問題を検出できる。ＨＳＤＰＡは、より短い送信時間間隔（ＴＴＩｓ）を導入することによって、エアインタフェース１１７を効率的に利用できる広帯域無線アクセスネットワーク（ＷＲＡＮ）サービスである。ＨＳＤＰＡによれば、専用（ｄｅｄｉｃａｔｅｄ）チャネル（ＤＣＨ）ユーザ例えば音声ユーザ間に残されたエアインタフェースパワーと、ＲＢＳ電力増幅器からの最大パワーとが、ＨＳＤＰＡユーザ１１６（ＨＳユーザ１１６）に使用できる。説明を簡単にするために、ＤＣＨユーザは図示していない。何故なら、ＨＳユーザ１１６がエアインタフェース１１７を介して享受できるビットレートは、高ビットレート（ＤＣＨユーザが少ない見通し内セル内）から低ビットレート（多くのＤＣＨユーザがいる見通し外セル内）までのどこへでも変動するという意味で“ベストエフォート（ｂｅｓｔ  ｅｆｆｏｒｔ）”型のサービスを受けることができるからである。
【０００８】
ＨＳＤＰＡは、トランスポートリンク１０６に関してＨＳユーザ１１６に対して同じ“ベストエフォート”型サービスをサポートする。従って、ＨＳユーザ１１６によって使用される高速ダウンリンク共用チャネル（ＨＳ−ＤＳＣＨ）データフレーム１１０は、各ＤＣＨフローがＩｕｂ１０６上の特定の遅延を伴う特定の帯域を有するＤＣＨデータフレームのようにアドミッション（ａｄｍｉｓｓｉｏｎ）制御されるわけではない。その代わり、一つまたは数百の媒体アクセス制御（ＭＡＣ−ｄ）されたフローに属することができるＨＳ−ＤＳＣＨデータフレーム１１０は、Ｉｕｂ１０上の同じ“ベストエフォート”型クオリティサービス（ＱｏＳ）を共有する。各ＭＡＣ−ｄフローは、ＲＮＣ１０２およびＲＢＳ１０４の中にキュー（ｑｕｅｕｅ）を有することに留意されたい。そして、各ＭＡＣ−ｄフローは、未規定ビットレート（ＵＢＲ＋）型のＡＴＭコネクション、またはＣＢＲ  ＶＣ、またはＩＰベースのトランスポートネットワークにキャリーオバー（ｃａｒｒｙ  ｏｖｅｒ）されるＡＴＭアダプテーション層２（ＡＡＬ２）クラスＣパス上で競合することがある。ＩＰベースのトランスポートが使用される場合、本発明は、幾分有利である。ＣＲＣベースの輻輳検出技術を使用できないからである。
【０００９】
ＨＳ−ＤＳＣＨデータフレーム１１０がトランスポートリンク１０６上で“ベストエフォート”型サービスを使用するので、消失ＨＳ−ＤＳＣＨデータフレーム１１０ａが非常に多い（フレーム消失比が非常に高い）ときに生じるＩｕｂ問題を検出することは、Ｉｕｂ問題を解決できるようにする上で重要である。Ｉｕｂ問題は、容量不足（ｓｃａｒｃｅ）Ｉｕｂ１０６に非常に多くのＨＳトラフィックがあり、ＨＳ−ＤＳＣＨデータフレーム１１０が欠落し、エンドユーザ１１６へのスループットが小さくなる程度にＲＴＴが長くなってしまうことによって生じる。この種のＩｕｂ問題は、パケットデータサービスに対して送信制御プロトコル（ＴＣＰ）を使用するエンドユーザ１１６にとって特に深刻である。何故なら、ＴＣＰは、長いＲＴＴに対して非常に敏感だからである。このＩｕｂ問題は、リアルタイムゲームやボイスオーバーＩＰのようなリアルタイムサービスを使用するエンドユーザにとっても問題である。長くなったＲＴＴによって引き起こされる別の問題は、同じく“ベストエフォート”型トランスポートネットワークサービスを使用して送信される重要なシグナリングＰＤＵの消失である。そして、ＨＳ−ＤＳＣＨデータフレームの消失比が非常に高いと、これらの接続はいずれも消失する可能性がある。
【００１０】
このＩｕｂ問題を検出するために、本発明は、ＨＳ−ＤＳＣＨデータフレーム１１０にフレームシーケンス番号３０２を導入する（図３参照）。このフレームシーケンス番号３０２を導入することにより、ＲＢＳ１０４が、完全に消失したＨＳ−ＤＳＣＨデータフレーム１１０ａを検出できるようになる。これを達成するために、ＲＢＳ１０４およびＲＮＣ１０２（フロー制御メカニズム１１８を含む）中に、ＨＳ−ＤＳＣＨデータフレーム１１０にフレームシーケンス番号３０２を導入し使用するためのＷＣＤＭＡ  ＲＡＮ  ＨＳＤＰＡハードウエアおよびソフトウエアを準備する必要がある。より具体的に説明すると、ＲＮＣ１０２は、ＲＢＳ１０４に送られる各ＨＳ−ＤＳＣＨデータフレーム１１０中にフレームシーケンス番号３０２（例えば、４ビットフレームシーケンス番号３０２）付加しなければならない。そして、ＲＢＳ１０４は、受信したＨＳ−ＤＳＣＨデータフレーム１１０中のフレームシーケンス番号３０２と、以前に受信したＨＳ−ＤＳＣＨデータフレーム１１０中のフレームシーケンス番号３０２とを比較し、これら受信した二つのＨＳ−ＤＳＣＨデータフレーム１１０の間に、ＨＳ−ＤＳＣＨデータフレーム１１０が送信されたがＲＢＳ１０４によって受信されていないか判断する。受信されていなければ、この未受信ＨＳ−ＤＳＣＨデータフレーム１１０が消失ＨＳ−ＤＳＣＨデータフレーム１１０ａである。このための一つの方法について、次に、説明する。
【００１１】
図２は、ＲＢＳ１０４が、より具体的には、フロー制御メカニズム１０８が、どのようにして消失ＨＳ−ＤＳＣＨデータフレーム１１０ａを検出できるかを説明するのを補助するのに使用するブロック図である。図示されているように、フロー制御メカニズム１０８（フレームハンドラー２０２）は、次の２個の入力、（１）フレーム番号イネーブルド２０４；および（２）ＨＳ−ＤＳＣＨデータフレーム１１０(優先キューフロー（ＰＱＦ）毎）、ならびに、次の１個の出力、（１）フレーム消失フラグ２０６（ＰＱＦ）毎)を有する。フロー制御メカニズム１０８は、あるべきではないフレームシーケンス番号３０２を発見することによって消失ＨＳ−ＤＳＣＨデータフレーム１１０ａを検出する。より具体的に説明すると、例えば０から１５まで順次増加すべき複数のフレームシーケンス番号３０２に穴があると、これは１つまたはそれ以上の消失ＨＳ−ＤＳＣＨデータフレーム１１０ａが存在することを示すことができる。例えば、・・・１２，１３，１４，０，１，２，３，４，・・・というフレームシーケンス番号３０２を有する複数の受信ＨＳ−ＤＳＣＨデータフレーム１１０は、１５というフレームシーケンス番号３０２を有する１つの消失ＨＳ−ＤＳＣＨデータフレーム１１０ａを示す。
【００１２】
消失ＨＳ−ＤＳＣＨデータフレーム１１０ａを検出することに加えて、フロー制御メカニズム１０８は、ダメージを受けたＨＳ−ＤＳＣＨデータフレーム１１０を検出するように構成できる。例えば、１つのＨＳ−ＤＳＣＨデータフレーム１１０に使用される１０個の非同期転送モード（ＡＴＭ）セルのうち１つまたはそれ以上のＡＴＭセルが消失すると、ＨＳ−ＤＳＣＨデータフレーム１１０がダメージを受けたことになる。より具体的に説明すると、受信したＨＳ−ＤＳＣＨデータフレーム１１０に１つまたはそれ以上のＡＴＭセルが無くなっていると、サイクリック・リダンダンシー・チェック（Ｃｙｃｌｉｃ  Ｒｅｄｕｎｄａｎｃｙ   Ｃｈｅｃｋ）（ＣＲＣ）およびレングス・インディケータ（Ｌｅｎｇｔｈ   Ｉｎｄｉｃａｔｏｒ（ＬＩ）がこれを示し、フロー制御メカニズム１０８は、このデータフレームを、ダメージを受けたＨＳ−ＤＳＣＨデータフレーム１１０とラベル付けする。この機能が組み入れられると、消失ＨＳ−ＤＳＣＨデータフレーム１１０ａの検出機能は、“完全消失”データフレーム発見機能と並行して働くことになる。より高いプロトコルの観点から見ると、ダメージを受けたＨＳ−ＤＳＣＨデータフレーム１１０は消失とみなされる。何故なら、ダメージを受けたＨＳ−ＤＳＣＨデータフレーム１１０は使用できないからである。このように、消失ＨＳ−ＤＳＣＨデータフレーム１１０ａと、ダメージを受けたＨＳ−ＤＳＣＨデータフレーム１１０ａとの違いは、イベントの検出の点にあって、これに対する対応にあるわけではない。次に、非常に多くの消失および／またはダメージを受けたＨＳ−ＤＳＣＨデータフレーム１１０ａに対する対応について説明する。
【００１３】
好ましい実施例において、ＲＢＳ１０４、より具体的にはフレームハンドラー２０２は、１００ｍｓの時間間隔の間に１つまたはそれ以上の消失／ダメージを受けたＨＳ−ＤＳＣＨデータフレーム１１０ａが検出されると、一組のフレーム消失フラグ２０６を出力する。フロー制御メカニズム１０８は、一組のフレーム消失フラグ２０６を受けると、高いフレーム消失比を有するＨＳ−ＤＳＣＨデータフレーム１１０の特定の優先キューフロー（ＰＱＦ）のビットレート（ＣＡＲａｔｅ）を一時的に低減する（図２の番号“１”参照）。ＨＳ−ＤＳＣＨデータフレーム１１０の特定フローのビットレートを一時的に低減するために、ＲＢＳ１０４は、ＲＮＣ１０２に対して容量割当（ＣＡ）メッセージ（図示せず）を送る。そして、特定の時間間隔の間に、非常に多くの消失／ダメージを受けたＨＳ−ＤＳＣＨデータフレーム１１０ａが生じると、ＲＢＳ１０４は、Ｉｕｂ１０６を介して送られる全てのＨＳトラフィックの最大ビットレート（ターゲットＨＳレート）を低減する（図２の番号“２”参照）。その後、所定の時間間隔の間にＩｕｂ問題が生じなければ、ＲＢＳ１０４は、ＨＳトラフィックの最大ビットレート（ターゲットＨＳレート）を増加させる（図２の番号“２ａ”参照）。
【００１４】
図３は、本発明の好ましい実施例による４ビットフレームシーケンス番号３０２を含むＨＳ−ＤＳＣＨデータフレーム１１０の好ましい構造を示すブロック図である。ＨＳ−ＤＳＣＨデータフレーム１１０に４ビットフレームシーケンス番号３０２が導入されると、規格３ＧＰＰ  ＴＳ  ２５．４３５（ヴァージョン５）のセクション６．２．７“データフレーム中の情報エレメントの符号化”に下記のアンダーラインを付した変更（６．２．７．２８  フレーム番号３０２）を行う必要である。
【００１５】
６．２．７．１  ヘッダーＣＲＣ
説明：データフレームのヘッダにおいてサイクリック・リダンダンシー・チェック（Ｃｙｃｌｉｃ  Ｒｅｄｕｎｄａｎｃｙ  Ｃｈｅｃｋ）（ＣＲＣ）が、次の多項式：Ｘ＾７+Ｘ＾６+Ｘ＾２+１で計算される。ＣＲＣ計算は、ヘッダ中の全てのビット、すなわち、（フレームタイプ（ＦＴ）フィールド）の第１バイトのビット０から始まってヘッダの最後までをカヴァーしなければならない。
【００１６】
値範囲：｛０・・１２７｝
フィールド長：７ビット
６．２．７．２  フレームタイプ
説明：制御フレームかデータフレームか否かを示す
値範囲：｛０＝データ，１＝制御｝
フィールド長：１ビット
６．２．７．３．接続フレーム番号（ＣＦＮ）
説明：どの無線フレームで第１データがアップリンクで受信されダウンリンクに送信されるべきかを示すインディケータ。値範囲およびフィールド長は、ＣＦＮが使用されるトランスポートチャネルに依存する。
【００１７】
値範囲（ＰＣＨ）：｛０・・４０９５｝
値範囲（他）：｛０・・２５５｝
フィールド長（ＰＣＨ）：１２ビット
フィールド長（他）：８ビット
６．２．７．４．トランスポートフォーマットインディケータ（ＴＦＩ）
説明：ＴＦＩは、送信時間間隔に使用されるトランスポートフォーマットのローカル番号である。
【００１８】
値範囲：｛０・・３１｝
フィールド長：５ビット
６．２．７．５．伝播遅延［ＦＤＤ］
説明：ＲＡＣＨアクセスの間に測定された一方向無線インターフェース遅延
値範囲：｛０・・７６５チップ｝
粒度（Ｇｒａｎｕｌａｒｉｔｙ）：３チップ
フィールド長：８ビット
６．２．７．６．Ｒｘタイミング偏差［３．８４Ｍｃｐｓ  ＴＤＤ］
説明：タイミングアドバンス（Ｔｉｍｉｎｇ  Ａｄｖａｎｃｅ））の基礎として測定されたＲｘタイミング偏差。この値は、ペイロード中のトランスポートブロックを含む全ての時間スロットおよび全てのフレームで行われた測定を考慮しなければならない。タイミングアドバンスアプライドＩＥ（Ｔｉｍｉｎｇ  Ａｄｖａｎｃｅ  Ａｐｐｌｉｅｄ  ＩＥ）が、セル中で“Ｎｏ”を示せば、Ｒｘタイミング偏差フィールドは、Ｎ＝０にセットされる。
【００１９】
値範囲：｛-２５６・・+２５６チップ｝
｛Ｎ＊４-２５６｝チップ  ＝＜  Ｒｘタイミング偏差  ＝＜  ｛（Ｎ+１）*４-２５６｝チップ  ここで、Ｎ＝０，１，・・・１２７
粒度：４チップ
フィールド長：７ビット
６．２．７．６Ａ  受信同期アップリンク（ＳＹＮＣ  ＵＬ）タイミング偏差［１．２８Ｍｃｐｓ  ＴＤＤ］
説明：伝搬遅延の基礎として測定された受信ＳＹＮＣ  ＵＬタイミング偏差
値範囲：｛０・・+２５６｝チップ
粒度：１チップ
フィールド長：８ビット
６．２．７．７．トランスポートブロック
説明：無線インターフェースを介して受信されたまたは送信されるべきデータのブロック。ＴＦＩによって示されたトランスポートフォーマットは、トタンスポートブロック長およびトランスポートブロックセット寸法を示す。
【００２０】
６．２．７．８  ＣＲＣインディケータ
説明：トランスポートブロックが正しいＣＲＣを有するかを示す。ＵＬアウターループパワー制御は、ＣＲＣインディケータを使用できる。
【００２１】
値範囲：｛０＝正しい，１＝正しくない｝
フィールド長：１ビット
６．２．７．９  ペイロードＣＲＣ
説明：データフレームのペイロードにおいてサイクリック・リダンダンシー・チェック（ＣＲＣ）が、次の多項式：Ｘ＾１６+Ｘ＾１５+Ｘ＾２+１で計算される。ＣＲＣ計算は、データフレームペイロード中の全てのビット、すなわち、（フレームタイプ（ＦＴ）フィールド）の第１バイトのビット７から始まってペイロードＣＲＣの前のバイトビット０までをカヴァーしなければならない。
【００２２】
フィールド長：１６ビット
６．２．７．１０  送信パワーレベル
説明：このＴＴＩの間対応するトランスポートチャネルに対する好ましい送信パワーレベル。示す値は、各トランスポートチャネルに使用される物理チャネルに適合した最大パワーに対する負のオフセットである。［１．２８Ｍｃｐｓ  ＴＤＤ  −  ＲＢＳはＴＤＤ  ＤＳＣＨデータフレーム中の送信パワーレベルを無視しなければならない。］［３．８４Ｍｃｐｓ  ＴＤＤ  −  ＲＢＳは、クローズドループＴＰＣパワー制御が使用される場合、ＴＤＤ  ＤＳＣＨデータフレーム中の送信パワーレベルを無視しなければならない。］
値範囲：｛０・・２５．５ｄＢ｝
粒度：０．１ｄＢ
フィールド長：８ビット
６．２．７．１１  ページングインディケーション（ＰＩ）
説明：ペイロード中にＰＩビットマップが存在するか否かを示す。
【００２３】
値範囲：｛０＝ペイロード中にＰＩビットマップが存在しない，１＝ペイロード中にＰＩビットマップが存在する｝
フィールド長：１ビット
６．２．７．１２  ページングインディケーションビットマップ（ＰＩ−ビットマップ）
説明：ページングインディケーションＰＩ０・・ＰＩＮ-１のビットマップ。第１バイトのビット７はＰＩ０を含み、第１バイトのビット６はＰＩ１を含み、・・第２バイトのビット７はＰＩ８を含む等である。
【００２４】
値範囲：［ＦＤＤ  −  ｛１８，３６，７２または１４４  ページングインディケーション｝］
［３．８４Ｍｃｐｓ  ＴＤＤ  −  ｛３０，３４，６０，６８，１２０
および１３６｝２ＰＩＣＨフレームに対するページングインディケー
ション、｛６０，６８，１２０，１３６，２４０および２７２｝４Ｐ
ＩＣＨフレームに対するページングインディケーション
［１． ２８Ｍｃｐｓ  ＴＤＤ  −  ｛４４，８８および１７６｝２ＰＩ
ＣＨフレームに対するページングインディケーション、｛８８，１７
６および３５２｝４ＰＩＣＨフレームに対するページングインディケ
ーション］
フィールド長：［ＦＤＤ  −  ３，５，９または１８バイト（ＰＩ−ビットマップフィールドがオクテッド境界までパディングされる）］
［２． ８４Ｍｃｐｓ  ＴＤＤ  −  ４，５，８，９，１５，１７，３０
または３４バイト（ＰＩ−ビットマップフィールドがオクテッド境界
までパディングされる）］
［１． ２８Ｍｃｐｓ  ＴＤＤ  −  ６，１１，２２または４４バイト（Ｐ
Ｉ−ビットマップフィールドがオクテッド境界までパディングされ
る）］
６．２．７．１３  ＲＡＣＨ上のＲｘタイミング偏差［３．８４Ｍｃｐｓ  ＴＤＤ］
無効
６．２．７．１４  ＰＤＳＣＨセットＩｄ  ［ＴＤＤ］
説明：無線インターフェースを介してＤＳＣＨデータフレームを送信するのに使用されるＰＤＳＣＨに対するポインター。
【００２５】
値範囲：｛０・・２５５｝
フィールド長：８ビット
６．２．７．１５  コード番号  ［ＦＤＤ］
説明：ＰＤＳＣＨのコード番号（同じマッピングが‘コード番号’ＩＥに使用される）
値範囲：｛０・・２５５｝
フィールド長：８ビット
６．２．７．１６  拡散率（ＳＦ）［ＦＤＤ］
説明：ＰＤＳＣＨの拡散率
拡散率＝０  使用される拡散率＝４
拡散率＝１  使用される拡散率＝８
拡散率＝６  使用される拡散率＝２５６
値範囲：｛４，８，１６，３２，６４，１２８，２５６｝
フィールド長：３ビット
６．２．７．１７  パワーオフセット［ＦＤＤ］
説明：好ましいＦＤＤ  ＦＤＳＣＨ送信パワーレベルを示すのに使用される。示される値は、ＤＳＣＨと同じＵＥに向けられたＤＰＣＣＨのＴＦＣＩビットのパワーに関するオフセットである。
【００２６】
パワーオフセット＝０  適用されるパワーオフセット＝-３２ｄＢ
パワーオフセット＝１  適用されるパワーオフセット＝-３１．７５ｄＢ
パワーオフセット＝２５５  適用されるパワーオフセット＝+３１．７５ｄＢ
値範囲：｛-３２・・+３１．７５ｄＢ｝
粒度：０．２５ｄＢ
フィールド長：８ビット
６．２．７．１８  ＭＣ情報［ＦＤＤ］
説明：ＤＳＣＨデータが搬送される並列ＰＤＳＣＨコードの数を示すのに使用される。マルチコード送信が使用される場合、全てのコードのＳＦは同一で、コード番号はコードツリー内で連続で、コード番号値は‘コード番号’フィールド中に示されたコード番号から始まって増加する。
【００２７】
値範囲：｛１・・１６｝
フィールド長：４ビット
６．２．７．１９  スペアエクステンション（Ｓｐａｒｅ  Ｅｘｔｅｎｓｉｏｎ）
説明：新たなＩＥが、将来、前にさかのぼってコンパチブルに加えることができる位置を示す。
【００２８】
フィールド長：８オクテット
６．２．７．２０  品質予測（Ｑｕａｌｉｔｙ  Ｅｓｔｉｍａｔｅ）（ＱＥ）［ＴＤＤ］
説明：品質予測は、トランスポートチャネルＢＥＲから導出される。ＵＳＣＨ  ＦＰフレームが、ＵＳＣＨのＴＢを含むならば、ＱＥは、選択されたＵＳＣＨに対するトランスポートチャネルＢＥＲである。トランスポートチャネルＢＥＲが入手できなければ、ＱＥは０にセットされる。品質予測は、トランスポートチャネルＢＥＲにセットされ、各ユニットＴｒＣＨ＿ＢＥＲ＿ＬＯＧ中でそれぞれ測定される。ＵＬアウターループパワーコントロールは、品質予測を使用できる。
【００２９】
値範囲：｛０・・２５５｝
粒度：１
フィールド長：８ビット
６．２．７．２１  共通トランスポートチャネル優先インディケータ（ＣｍＣＨ−ＰＩ）
説明：ＣｍＣＨ−ＰＩは、ＮＢＡＰ中のスケジューリング優先インディケータを介して形成されるもので、データフレームおよびそれに含まれるＳＤＵの相対優先順位である。
【００３０】
値範囲：｛０−１５，０＝最低優先順位，１５＝最高優先順位｝
フィールド長：４ビット
６．２．７．２２  ユーザバッファサイズ
説明：所与の共通トランスポートチャネル優先インディケータレベルに対するオクテット単位でのユーザのバッファサイズ（すなわち、バッファ中のデータの量）を示す。
【００３１】
値範囲：｛０−６５５３５｝
フィールド長：１６ビット
６．２．７．２３  ＭＡＣ−ｄ  ＰＤＵ長
説明：このフィールドの値は、ＨＳ−ＤＳＣＨデータフレームのペイロード中の各ＭＡＣ−ｄ  ＰＤＵの長さを示す。
【００３２】
値範囲：｛０−５０００｝
フィールド長：１３ビット
６．２．７．２４  ＮｕｍＯｆＰＤＵ
説明：ペイロード中のＭＡＣ−ｄ  ＰＤＵの数を示す。
【００３３】
値範囲：｛０−２５５｝
フィールド長：８ビット
６．２．７．２５  ＭＡＣ−ｄ  ＰＤＵ
説明：ＭＡＣ−ｄ  ＰＤＵは、ＭＡＣ−ｄ  ＰＤＵを含む。
【００３４】
フィールド長：ＭＡＣ−ｄ  ＰＤＵ長  ＩＥの値参照
６．２．７．２６  セル部ＩＤ［ＦＤＤ］
説明：セル部ＩＤは、ＲＡＣＨアクセスの間最も高いＳＩＲを有するセル部を示す。セル部ＩＤは、Ｏ＆Ｍで形成される。
【００３５】
値範囲：｛０−６３｝
フィールド長：６ビット
６．２．７．２７  新たなＩＥフラグ
説明：新たなＩＥフラグＩＥに続くフィールド中でどの情報が有効かを示すフラグを含む。新たなＩＥフラグＩＥの最後のビット部は、将来、新たなＩＥフラグＩＥのエクステンションを許容するエクステンションフラグとして使用される。
【００３６】
値範囲：
ビット０−６：新たなＩＥフラグＩＥに続くバイトが、有効なデータを含む（１）か否（０）か示す。各ビットの意味は、対応するデータフレームのサブクローズで説明される。
【００３７】
ビット７：新たなＩＥフラグＩＥに続く最初のバイトおよび対応ＩＥがさらなる新たなＩＥフラグＩＥを有している（１）か否（０）を示す。
【００３８】
フィールド長：８ビット
６．２．７．２８  フレーム番号３０２
説明：４ビットフレーム番号は、１つのＭＡＣ−ｄ  ＣｍＣＨ−ＰＩフローに属する各送信されたＨＳ−ＤＳＣＨデータフレームに対してＳＲＮＣによって（モジュロ（ｍｏｄｕｌｏ）１６）で増加する。各フローは、フレームシーケンス番号を発生する。
【００３９】
値範囲：｛０・・１５｝
粒度：１
フィールド長：４ビット
フレームシーケンス番号３０２が無ければ、図３に示し上述したＨＳ−ＤＳＣＨデータフレーム１１０の構造は、従来のＨＳ−ＤＳＣＨデータフレームに相当する。従来のＨＳ−ＤＳＣＨデータフレーム、ＨＳＤＰＡおよびＷＣＤＭＡの詳細説明については、次の規格を参照されたい。
【００４０】
・３ＧＰＰ  ＴＳ  ２５．４３５  共通チャネルのためのＩｕｂユーザプレイン
・３ＧＰＰ  ＴＳ  ２５．４２５  共通チャネルのためのＩｕｒユーザプレイン
・３ＧＰＰ  ＴＳ  ２５．４１５  ＵＴＲＡＮ  Ｉｕインターフェースユーザプレインプロトコル
これらの規格の内容は、本明細書の内容の一部をなすものとする。
【００４１】
以下の説明は、本発明の付加的特徴、利点および利用に関するものである。
【００４２】
本発明は、ＭＡＣ−ｄ優先レベル（ＣｍＣＨ−ＰＩ）フローにつき４ビットのＨＳ−ＤＳＣＨ  ＦＰデータフレームフレームシーケンス番号を導入し、完全消失データフレームの検出を可能にする。このソリューションは、ＷＲＡＮが今日使用しているＡＴＭベースのトランスポートネットワークソリューションと、将来のＩＰベースのトランスポートネットワークとのコンパチブル（互換性）を確保する。
【００４３】
本発明は、“ＨＳＤＰＡフロー制御、制御フレームＲＴＴ測定（ＨＳＤＰＡ  Ｆｌｏｗ  Ｃｏｎｔｒｏｌ，  Ｃｏｎｔｒｏｌ  Ｆｒａｍｅ  ＲＴＴ  Ｍｅａｓｕｒｅｍｅｎｔ）”という名称の別の特許出願（アトーニードケット番号：Ｐ１９５２９）に関連する。この出願の発明は、非常に長いＲＴＴ時間に関連したＩｕｂ問題を検出し解決するもので、本発明とともに使用できる。この特許出願の内容も本明細書の一部をなすものである。
【００４４】
本発明は、“ＨＳＤＰＡフロー制御データフレーム遅延ＲＮＣリファレンス時間（ＨＳＤＰＡ  Ｆｌｏｗ  Ｃｏｎｔｒｏｌ  Ｄａｔａ  Ｆｒａｍｅ  Ｄｅｌａｙ  ＲＮＣ  Ｒｅｆｅｒｅｎｃｅ  Ｔｉｍｅ）”という名称の別の特許出願（アトーニードケット番号：Ｐ１９５３０）にも関連する。この出願の発明は、非常に長いバッファ遅延に関連したＩｕｂ問題を検出し解決するもので、本発明とともに使用できる。この特許出願の内容も本明細書の一部をなすものである。
【００４５】
本発明は、ＲＢＳフロー制御アルゴリズムが、Ｉｕｂ渋滞をより良い方法で検出し、セル変更特性を改良することができる。
【００４６】
ＲＮＣ１０２およびＲＢＳ１０４のような第三世代セルラネットワーク１００中の構成要素は、この産業分野で周知なので、ＲＮＣ１０２およびＲＢＳ１０４の周知事項の説明は省略する。
【００４７】
以上、本発明の一実施例について図面を参照して詳細に説明したが、本発明は上記実施例に限定されるわけではなく、特許請求の範囲に記載した本発明の趣旨から逸脱することなく、種々の再構成、変形および置換することができる。
【００４８】
例えば、本発明の可能な拡張は、ＨＳＵＰＡ（高速アップリンクパケットアクセス（Ｈｉｇｈ  Ｓｐｅｅｄ  Ｕｐｌｉｎｋ  Ｐａｃｋｅｔ  Ａｃｃｅｓｓ））およびＥ−ＤＣＨ（改良ＤＣＨ（Ｅｎｈａｎｃｅｄ  ＤＣＨ））に関連した速いアップリンク共用チャネルに関連したものになる。この場合、ＨＳＵＰＡデータフレームはＲＢＳからＲＮＣに送られ（ＨＳＤＰＡとは反対方向）、これらのパケットの消失は、ＲＮＣ中で検出される。現在、Ｅ−ＤＣＨについては、容認できる渋滞検出技術が無く、Ｅ−ＤＣＨデータフレーム中にはＦＮはない。
【００４９】
本願は、２００４年５月５日に出願した「ＨＳＤＰＡフロー制御データフレーム、フレーム番号シーケンス」という名称の米国仮出願シリアル番号６０/５６８，３１８の利益を主張する。
【図面の簡単な説明】
【００５０】
【図１】図１は、本発明により、ＨＳ−ＤＳＣＨデータフレームの消失を検出できるＲＢＳを含む第三世代セルラネットワークを示す図である。
【図２】図２は、本発明により、ＲＢＳがどのようにしてＨＳ−ＤＳＣＨデータフレームの消失を検出できるかを示す図である。
【図３】図３は、本発明により、ＲＢＳがＨＳ−ＤＳＣＨデータフレームの消失を検出できるようにする４ビットフレーム番号シーケンスを含むＨＳ−ＤＳＣＨデータフレームの好ましい構造を示す図である。
【図１】
2007536792.tif 000003
【図２】
2007536792.tif 000004
【図３】
2007536792.tif 000005
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
高速ダウンリンク共用チャネル（ＨＳ−ＤＳＣＨ）データフレーム（１１０）を受信し、受信したＨＳ−ＤＳＣＨデータフレーム（１１０）内のフレームシーケンス番号（３０２）を検査して、以前に送信された一つまたはそれ以上のＨＳ−ＤＳＣＨデータフレーム（１１０ａ）が消失したか否かを判断するフロー制御メカニズム（１０８）を備えることを特徴とする無線基地局（１０４）。
【請求項２】
前記フレームシーケンス番号が、４ビットフレームシーケンス番号であることを特徴とする請求項１記載の無線基地局。
【請求項３】
前記フロー制御メカニズムは、前記ＨＳ−ＤＳＣＨデータフレームが所定数消失したことが検出された後、前記一つまたはそれ以上の消失ＨＳ−ＤＳＣＨデータフレームおよび前記ＨＳ−ＤＳＣＨデータフレームに関連した優先キューフローのビットレートを低減することを特徴とする請求項１記載の無線基地局。
【請求項４】
前記フロー制御メカニズムは、所定時間間隔の間にＨＳ−ＤＳＣＨデータフレームが所定数消失したことが検出された後、全てのＨＳトラフィックの最大ビットレートを低減することを特徴とする請求項１記載の無線基地局。
【請求項５】
前記フロー制御メカニズムは、その間に消失が検出されたＨＳ−ＤＳＣＨデータフレームの数が所定の閾値を超えなかった所定時間間隔経過後、全てのＨＳトラフィックの最大ビットレートを増加させることを特徴とする請求項４記載の無線基地局。
【請求項６】
前記フロー制御メカニズムは、該メカニズムに向けて以前に送信された一つまたはそれ以上のＨＳＤＰＡ  ＨＳ−ＤＳＣＨデータフレームがダメージを受けたか否かを判断するために、受信したＨＳＤＰＡ  ＨＳ−ＤＳＣＨデータフレーム中のサイクリック・リダンダンシー・チェック（Ｃｙｃｌｉｃ  Ｒｅｄｕｎｄａｎｃｙ  Ｃｈｅｃｋ）（ＣＲＣ）およびレングス・インディケータ（Ｌｅｎｇｔｈ  Ｉｎｄｉｃａｔｏｒ）（ＬＩ）もまた検査することを特徴とする請求項１記載の無線基地局。
【請求項７】
無線ネットワーク制御装置（１０２）であって、
フレームシーケンス番号（３０２）が配置された高速ダウンリンク共用チャネル（ＨＳ−ＤＳＣＨ）データフレーム（１１０）を発生し、該データフレームを、トランスポートリンク（１０６）を介して、無線基地局（１０４）に送信するフロー制御メカニズム（１１８）を備え、
前記無線基地局（１０４）が、前記ＨＳ−ＤＳＣＨデータフレーム（１１０）を受信し、受信したＨＳ−ＤＳＣＨデータフレーム（１１０）内のフレームシーケンス番号（３０２）を検査して、前記無線ネットワーク制御装置（１０２）によって前記無線基地局（１０４）に向けて前に送信された一つまたはそれ以上のＨＳ−ＤＳＣＨデータフレーム（１１０ａ）が消失したか否かを判断することを特徴とする無線ネットワーク制御装置(１０２)。
【請求項８】
前記フレームシーケンス番号が、４ビットフレームシーケンス番号であることを特徴とする請求項７記載の無線ネットワーク制御装置。
【請求項９】
前記ＨＳ−ＤＳＣＨデータフレームが、一つのＭＡＣ−ｄ  ＣｍＣＨ−ＰＩフローに属することを特徴とする請求項７記載の無線ネットワーク制御装置。
【請求項１０】
セルラシステム（１００）であって、
無線ネットワーク制御装置（１０２）と、
トランスポートリンク（１０６）と、
無線基地局（１０４）とを備え、
前記無線ネットワーク制御装置（１０２）は、フレームシーケンス番号（３０２）が配置された高速ダウンリンク共用チャネル（ＨＳ−ＤＳＣＨ）データフレーム（３０２）を発生し、該ＨＳ−ＤＳＣＨデータフレーム（１１０）を、前記トランスポートリンク（１０６）を介して、無線基地局（１０４）に送信し、
前記無線基地局（１０４）は、前記ＨＳ−ＤＳＣＨデータフレーム（１１０）を受信し、受信したＨＳ−ＤＳＣＨデータフレーム（１１０）内のフレームシーケンス番号（３０２）を検査して、前記無線ネットワーク制御装置（１０２）によって前記無線基地局（１０４）に向けて前に送信された一つまたはそれ以上のＨＳ−ＤＣＨデータフレーム（１１０ａ）が消失したか否かを判断することを特徴とするセルラシステム（１００）。
【請求項１１】
前記フレームシーケンス番号が、４ビットフレームシーケンス番号であることを特徴とする請求項１０記載のセルラシステム。
【請求項１２】
前記ＨＳ−ＤＳＣＨデータフレームが、一つのＭＡＣ−ｄ  ＣｍＣＨ−ＰＩフローに属することを特徴とする請求項１０記載のセルラシステム。
【請求項１３】
前記無線基地局は、前記ＨＳ−ＤＳＣＨデータフレームが所定数消失したことが検出されたとき、前記一つまたはそれ以上の消失ＨＳ−ＤＳＣＨデータフレームおよび前記ＨＳ−ＤＳＣＨデータフレームに関連した優先キューフロー（ＰＱＦ）のビットレートを低減するように前記無線ネットワーク制御装置に指示するメッセージを前記無線ネットワーク制御装置に送ることを特徴とする請求項１０記載のセルラシステム。
【請求項１４】
前記無線基地局は、所定時間間隔の間にＨＳ−ＤＳＣＨデータフレームが所定数消失したことが検出されたときに、前記トランスポートリンクを介して、前記無線基地局に送信される全てのＨＳトラフィックの最大ビットレートを低減するように前記無線ネットワーク制御装置に指示するメッセージを前記無線ネットワーク制御装置に送ることを特徴とする請求項１０記載のセルラシステム。
【請求項１５】
前記無線基地局は、その間に消失が検出されたＨＳ−ＤＳＣＨデータフレームの数が所定の閾値を超えなかった所定時間間隔経過後、全てのＨＳトラフィックの最大ビットレートを増加させることを特徴とする請求項１４記載のセルラシステム。
【請求項１６】
前記無線基地局は、該無線基地局に向けて前記無線ネットワーク制御装置から以前送信された一つまたはそれ以上のＨＳＤＰＡ  ＨＳ−ＤＳＣＨデータがダメージを受けたか否かを判断するために、受信したＨＳＤＰＡ  ＨＳ−ＤＳＣＨデータフレーム中のサイクリック・リダンダンシー・チェック（Ｃｙｃｌｉｃ  Ｒｅｄｕｎｄａｎｃｙ  Ｃｈｅｃｋ）（ＣＲＣ）およびレングス・インディケータ（Ｌｅｎｇｔｈ  Ｉｎｄｉｃａｔｏｒ）（ＬＩ）もまた検査することを特徴とする請求項１０記載のセルラシステム。
【請求項１７】
無線ネットワーク制御装置と無線基地局との間のトランスポートリンクの問題を検出する方法であって、
前記無線基地局において、高速ダウンリンク共用チャネル（ＨＳ−ＤＳＣＨ）データフレーム（１１０）を受信するステップと、
前記無線基地局において、受信したＨＳ−ＤＳＣＨデータフレーム（１１０）内のフレームシーケンス番号（３０２）を検査して、以前に前記無線ネットワーク制御装置から送信された一つまたはそれ以上のＨＳ−ＤＳＣＨデータフレーム（１１０ａ）が消失したか否かを検査するステップと
を含むことを特徴とする方法。
【請求項１８】
前記フレームシーケンス番号が、４ビットフレームシーケンス番号であることを特徴とする請求項１７記載の方法。
【請求項１９】
前記無線基地局は、前記ＨＳ−ＤＳＣＨデータフレームが所定数消失したことが検出された後、前記一つまたはそれ以上の消失ＨＳ−ＤＳＣＨデータフレームおよび前記ＨＳ−ＤＳＣＨデータフレームに関連した優先キューフロー（ＰＤＦ）のビットレートを低減するように前記無線ネットワーク制御装置に指示することを特徴とする請求項１７記載の方法。
【請求項２０】
前記無線基地局は、所定時間間隔の間にＨＳ−ＤＳＣＨデータフレームが所定数消失したことが検出された後、全てのＨＳトラフィックの最大ビットレートを低減するように前記無線ネットワーク制御装置に指示することを特徴とする請求項１７記載の方法。
【請求項２１】
前記無線基地局は、その間に消失が検出されたＨＳ−ＤＳＣＨデータフレームの数が所定の閾値を超えなかった所定時間間隔経過後、全てのＨＳトラフィックの最大ビットレートを増加させるように無線ネットワーク制御装置に指示することを特徴とする請求項２０記載の方法。
【請求項２２】
前記無線基地局は、前記無線ネットワーク制御装置によって以前送信された一つまたはそれ以上のＨＳＤＰＡ  ＨＳ−ＤＳＣＨデータフレームがダメージを受けたか否かを判断するために、受信したＨＳＤＰＡ  ＨＳ−ＤＳＣＨデータフレーム中のサイクリック・リダンダンシー・チェック（Ｃｙｃｌｉｃ  Ｒｅｄｕｎｄａｎｃｙ  Ｃｈｅｃｋ）（ＣＲＣ）およびレングス・インディケータ（Ｌｅｎｇｔｈ  Ｉｎｄｉｃａｔｏｒ）（ＬＩ）もまた検査することを特徴とする請求項１７記載の方法。
【国際調査報告】
2007536792.tif 000006
2007536792.tif 000007
2007536792.tif 000008